(57)【要約】      （修正有）【課題】コンテンツに対して意図通りの設定値を適用することが容易な電子機器を提供する。【解決手段】コンテンツに基づくコンテンツオブジェクトと設定値を示す設定値オブジェクト２３とを一画面に表示させる表示部と、コンテンツオブジェクト及び設定値オブジェクト２３に対する操作を受け付ける操作部と、設定値オブジェクト２３からコンテンツオブジェクトまで移動する操作に応じて、コンテンツオブジェクトに対応するコンテンツに設定値オブジェクト２３に対応する設定値を適用し、コンテンツオブジェクトから設定値オブジェクト２３まで移動する操作に応じて、コンテンツオブジェクトに対応するコンテンツへの設定値オブジェクト２３に対応する設定値の適用を解除する設定部と、を備える。【選択図】図４
2017187832.tif 000002
【特許請求の範囲】
【請求項１】
コンテンツに基づくコンテンツオブジェクトと設定値を示す設定値オブジェクトとを画
面に表示させる表示部と、
前記コンテンツオブジェクト及び前記設定値オブジェクトに対する操作を受け付ける操
作部と、
前記設定値オブジェクトから前記コンテンツオブジェクトまで移動する前記操作に応じ
て、当該コンテンツオブジェクトに対応する前記コンテンツに当該設定値オブジェクトに
対応する前記設定値を適用し、前記コンテンツオブジェクトから前記設定値オブジェクト
まで移動する前記操作に応じて、当該コンテンツオブジェクトに対応する前記コンテンツ
への当該設定値オブジェクトに対応する前記設定値の適用を解除する設定部と、
を備える電子機器。
【請求項２】
前記表示部は、前記設定値オブジェクトと複数の前記コンテンツオブジェクトとを前記
画面に表示させ、
前記設定部は、前記設定値オブジェクトから移動した終点にある前記コンテンツオブジ
ェクトに対応する前記コンテンツに対して当該設定値オブジェクトに対応する前記設定値
を適用し、前記設定値オブジェクトから移動した終点にない前記コンテンツオブジェクト
に対しては当該設定値オブジェクトに対応する前記設定値を適用しない、
請求項１に記載の電子機器。
【請求項３】
前記表示部は、前記コンテンツオブジェクトと複数の前記設定値オブジェクトとを前記
画面に表示させ、
前記設定部は、前記コンテンツオブジェクトから移動した終点にある前記設定値オブジ
ェクトに対応する前記設定値の適用を解除し、前記コンテンツオブジェクトから移動した
終点にない前記設定値オブジェクトに対応する前記設定値の適用を解除しない、
請求項１又は２に記載の電子機器。
【請求項４】
前記コンテンツオブジェクトは、前記コンテンツとしての画像データに基づく画像であ
って、
前記表示部は、前記設定値が画像処理条件として適用された前記画像データに基づいて
前記画像を更新表示させる、
請求項１から３のいずれか一項に記載の電子機器。
【請求項５】
コンテンツに基づくコンテンツオブジェクトと設定値を示す設定値オブジェクトとを前
記画面に表示させる表示部と、
前記コンテンツオブジェクト及び前記設定値オブジェクトに対する操作を受け付ける操
作部と、
前記設定値オブジェクトから前記コンテンツオブジェクトまで移動する前記操作に応じ
て、当該コンテンツオブジェクトに対応する前記コンテンツに当該設定値オブジェクトに
対応する前記設定値を適用し、前記コンテンツオブジェクトから前記設定値オブジェクト
まで移動する前記操作に応じて、当該コンテンツオブジェクトに対応する前記コンテンツ
への当該設定値オブジェクトに対応する前記設定値の適用を解除する設定部と、
としてコンピューターを機能させる設定値制御プログラム。
【発明の詳細な説明】
【技術分野】
【０００１】
本発明は電子機器及び設定値制御プログラムに関する。
【背景技術】
【０００２】
近年、タッチパネルディスプレイを備える電子機器が増加している。プリンター、スキ
ャナー、デジタルカメラ等の周辺機器においては、タッチパネルディスプレイの画面サイ
ズが小さいことが多く、コンテンツに対して設定値を指定する画面は別画面を呼び出して
画面内に重畳表示するようにしている。
【先行技術文献】
【特許文献】
【０００３】
【特許文献１】特開2016-15538号公報
【発明の概要】
【発明が解決しようとする課題】
【０００４】
ところで、画像を扱う電子機器においては、ユーザーに画像処理条件を設定させるとき
、画像処理の結果を表示することが望ましい。しかし、画面サイズが小さくなるほど、画
像処理条件の設定メニューと画像処理の結果を示す画像とを一画面に表示することが困難
になる。すなわち、画面サイズが小さい電子機器においては、画像データなどのコンテン
ツに対してユーザーが意図通りの設定値を適用しにくくなる。
【０００５】
本発明は、コンテンツに対して意図通りの設定値を適用することが容易な電子機器を実
現することを目的の一つとする。
【課題を解決するための手段】
【０００６】
（１）上記目的を達成するための電子機器は、コンテンツに基づくコンテンツオブジェ
クトと設定値を示す設定値オブジェクトとを一画面に表示させる表示部と、前記コンテン
ツオブジェクト及び前記設定値オブジェクトに対する操作を受け付ける操作部と、前記設
定値オブジェクトから前記コンテンツオブジェクトまで移動する前記操作に応じて、当該
コンテンツオブジェクトに対応する前記コンテンツに当該設定値オブジェクトに対応する
前記設定値を適用し、前記コンテンツオブジェクトから前記設定値オブジェクトまで移動
する前記操作に応じて、当該コンテンツオブジェクトに対応する前記コンテンツへの当該
設定値オブジェクトに対応する前記設定値の適用を解除する設定部と、を備える。本発明
によると、画面サイズが小さくてもコンテンツに対して意図通りの設定値を適用すること
を容易にすることができる。
【０００７】
（２、３）上記目的を達成するための電子機器において、前記表示部は、前記設定値オ
ブジェクトと複数の前記コンテンツオブジェクトとを前記画面に表示させ、前記設定部は
、前記設定値オブジェクトから移動した終点にある前記コンテンツオブジェクトに対応す
る前記コンテンツに対して当該設定値オブジェクトに対応する前記設定値を適用し、前記
設定値オブジェクトから移動した終点にない前記コンテンツオブジェクトに対しては当該
設定値オブジェクトに対応する前記設定値を適用しなくてもよい。また、上記目的を達成
するための電子機器において、前記表示部は、前記コンテンツオブジェクトと複数の前記
設定値オブジェクトとを前記画面に表示させ、前記設定部は、前記コンテンツオブジェク
トから移動した終点にある前記設定値オブジェクトに対応する前記設定値の適用を解除し
、前記コンテンツオブジェクトから移動した終点にない前記設定値オブジェクトに対応す
る前記設定値の適用を解除しなくてもよい。これらの構成を採用すると、設定値を適用又
は解除する対象となるコンテンツの選択と、当該コンテンツに対して適用又は解除する設
定値の選択とを１つの操作でできるため、操作数を減らすことができる。
【０００８】
（４）上記目的を達成するための電子機器において、前記コンテンツオブジェクトは、
前記コンテンツとしての画像データに基づく画像であって、前記表示部は、前記設定値が
画像処理条件として適用された前記画像データに基づいて前記画像を更新表示させてもよ
い。この構成を採用すると、設定値の適用結果を確認しながら、設定値を適用したり解除
したりできるので、画像データに対して意図通りの画像処理を適用することが容易になる
。
【０００９】
尚、請求項に記載された各手段の機能は、構成自体で機能が特定されるハードウェア資
源、プログラムにより機能が特定されるハードウェア資源、又はそれらの組み合わせによ
り実現される。また、これら各手段の機能は、各々が物理的に互いに独立したハードウェ
ア資源で実現されるものに限定されない。さらに、本発明は、設定値制御プログラム又は
その記録媒体としても成立する。むろん、その記録媒体は、磁気記録媒体であってもよい
し光磁気記録媒体であってもよいし、今後開発されるいかなる記録媒体であってもよい。
【図面の簡単な説明】
【００１０】
【図１】本発明の一実施例にかかるプリンターのブロック図である。
【図２】本発明の一実施例にかかる画像処理条件の設定処理の流れを示すフローチャートである。
【図３】本発明の一実施例にかかる設定画面の構成図である。
【図４】本発明の一実施例にかかる設定画面の構成図である。
【図５】本発明の一実施例にかかる設定画面の構成図である。
【図６】本発明の一実施例にかかる設定画面の構成図である。
【図７】本発明の一実施例にかかる設定画面の構成図である。
【発明を実施するための形態】
【００１１】
以下、本発明の実施の形態を図面を参照しながら説明する。尚、各図において対応する
構成要素には同一の符号が付され、重複する説明は省略される。
【００１２】
１．電子機器の構成
図１に、本発明の電子機器の一実施例としてのプリンターを示す。図１に示すように、
プリンターは、コンピューターで構成された制御部１と、タッチパネルディスプレイ２と
、用紙に印刷を施す印刷機構３と、用紙を印刷機構３に搬送する給紙機構５と、リムーバ
ブルメモリや外部機器から印刷対象のコンテンツを取得するデータ取得部４とを備えてい
る。以下、印刷対象のコンテンツとしてビットマップ形式の画像データを例示して説明す
るが、設定値の適用対象となるコンテンツは、ベクター形式の画像データでもよいし、Ｐ
ＤＦ形式の文書データでも良いし、テキストデータでも良い。
【００１３】
タッチパネルディスプレイ２は、タップやフリックやスワイプなどの操作の対象となる
操作オブジェクトを表示する液晶パネルを備える。そしてタッチパネルディスプレイ２は
、抵抗膜方式、投影型静電容量方式、表面型静電容量方式、超音波表面弾性波方式、光学
方式、電磁誘導方式などにより、画面を押すタップ操作及び画面を滑るスワイプ操作又は
フリック操作を検出する。具体的には、タッチパネルディスプレイ２は、指やペンが画面
に触れた位置を示す座標を出力する。タッチパネルディスプレイ２が出力する座標の数列
が示す軌跡は、画面を押すタップ操作の場合に比較的短くなり、画面を滑るスワイプ操作
又はフリック操作の場合に比較的長くなる。尚、本明細書においては、画面を滑りながら
移動する操作の内、移動速度が比較的遅い操作をその開始点と終了点の領域に関わらずス
ワイプといい、移動速度が比較的速い操作をその開始点と終了点の領域に関わらずフリッ
クというものとする。またタップ操作であるか、スワイプ操作であるか、フリック操作で
あるかは、タッチパネルディスプレイ２が出力する座標の数列が示す軌跡の長さと軌跡が
描かれた操作時間とに基づいて制御部１が判定する。
【００１４】
制御部１は、プロセッサ、主記憶装置としてのＲＡＭ、外部記憶装置としてのフラッシ
ュメモリ及び入出力インターフェースを備える。制御部１は、フラッシュメモリに記憶さ
れた印刷制御プログラムをＲＡＭにロードしてプロセッサで実行することにより、表示部
、操作部及び設定部として機能する。印刷制御プログラムは設定値制御プログラムに相当
するプログラムモジュールを有する。
【００１５】
印刷機構３には、インクを吐出する印字ヘッドや、印字ヘッドを搬送するモーターや、
モーターの回転角度や印字ヘッドの位置を検出するエンコーダーなどが備えられている。
給紙機構５には、用紙を積載するカセットやトレイ、用紙を搬送するモーター、用紙の位
置を検出するセンサーなどが備えられている。
【００１６】
２．設定値制御方法
次に、上述したプリンターを用いた設定値制御方法について図２から図５を参照しなが
ら説明する。図２に示す画像処理条件の設定処理は、例えばデータ取得部４に挿入された
リムーバブルメモリに記憶されている画像データから印刷対象の画像データが選択される
と起動する。
【００１７】
画像処理条件の設定処理において、制御部１は、図３に示す設定画面２１をタッチパネ
ルディスプレイ２に表示させる（Ｓ１）。設定画面２１には、印刷対象のプレビュー画像
２２と、画像処理条件を示す設定値オブジェクト２３と、シーケンス制御ボタン２４とが
含まれる。ここでプレビュー画像２２はコンテンツオブジェクトに相当する。
【００１８】
制御部１は、ユーザーによって印刷対象として選択された全ての画像データに基づいて
コンテンツオブジェクトとしてのプレビュー画像２２を表示する。複数の画像データが印
刷対象として選択されている場合には複数のプレビュー画像２２が表示され、１つの画像
データが印刷対象として選択されている場合には１つのプレビュー画像２２が表示される
。
【００１９】
本実施例における設定値オブジェクト２３は、画像データに応じた補正量を用いた露出
補正処理の適用を指示するための露出自動補正２３１と、画像データに応じた補正量を用
いた彩度補正処理の適用を指示するための彩度自動補正２３２と、画像データに応じた補
正量を用いたコントラスト補正処理の適用を指示するためのコントラスト自動補正２３３
という複数の設定値オブジェクトを含む。設定値オブジェクト２３は、テキストで構成さ
れても良いし、テキストと図形の組み合わせで構成されても良いし、図形で構成されても
良い。尚、１つの画像データに対して露出補正処理、彩度補正処理、コントラスト補正処
理のいずれか２つ以上を適用することも可能である。このように本実施例では、制御部１
は、排他的でない設定値を示す複数の設定値オブジェクトをプレビュー画像２２とともに
一画面に表示する。尚、モノクローム、セピアカラー、フルカラー、インデックスカラー
といった色変換の設定値や、３００ｄｐｉ、６００ｄｐｉといった解像度の設定値や、２
面割付、４面割付といった割付処理の設定値のように、排他的な設定値を示す複数の設定
値オブジェクトをプレビュー画像２２とともに一画面に表示しても良い。また制御部１は
、１つの設定値オブジェクトだけをプレビュー画像２２とともに一画面に表示し、当該１
つの設定値の適用と解除だけを設定画面２１で受け付けても良い。
【００２０】
シーケンス制御ボタン２４は、画像処理条件の設定処理以外の処理を起動するためのシ
ーケンス制御操作を受け付ける。例えば戻るボタン２４１がタップされると、制御部１は
、印刷対象の画像データを選択するための画面をタッチパネルディスプレイ２に表示する
。また例えば印刷ボタン２４２がタップされると、制御部１は、選択された画像データに
設定値を適用して印刷を実行する印刷処理を開始する。
【００２１】
制御部１は、設定画面２１を表示させている期間中にタッチパネルディスプレイ２から
出力される座標に基づいて、設定画面２１に対する操作を判定する（Ｓ２）。設定画面２
１が受け付ける操作には、適用操作と解除操作と既に述べたシーケンス制御操作が含まれ
る。
【００２２】
制御部１は、いずれかの設定値オブジェクト２３からいずれかのプレビュー画像２２ま
でのスワイプを適用操作と判定する。スワイプは、指やペンなどをタッチパネルディスプ
レイ２の画面上を滑らせながら移動させる操作である。例えば制御部１は、指などがタッ
チパネルディスプレイ２に接触した直後の接触領域の中心がいずれかの設定値オブジェク
ト２３の表示領域内にあって、かつ、その後に指などがタッチパネルディスプレイ２から
離れる直前の接触領域の中心がいずれかのプレビュー画像２２の表示領域内にあるとき、
適用操作と判定する。また制御部１は、図５に示すような、いずれかのプレビュー画像２
２からいずれかの設定値オブジェクト２３までのスワイプを解除操作と判定する。例えば
制御部１は、指などがタッチパネルディスプレイ２に接触した直後の接触領域の中心がい
ずれかのプレビュー画像２２の表示領域内にあって、かつ、その後に指などがタッチパネ
ルディスプレイ２から離れる直前の接触領域の中心がいずれかの設定値オブジェクト２３
の表示領域内にあるとき、適用操作と判定する。
【００２３】
適用操作と判定すると、制御部１は、次のように画像処理の設定値を適用する（Ｓ３）
。まず画像処理の対象は、設定値オブジェクト２３を始点とするスワイプの終点に表示さ
れているプレビュー画像２２に対応する画像データであると認識する。そして処理内容は
、スワイプの始点に表示されている設定値オブジェクト２３に対応する設定値が示す画像
処理であると認識する。そして、スワイプの終点に表示されているプレビュー画像２２に
対応する画像データの画像識別情報とスワイプの始点に表示されている設定値オブジェク
ト２３に対応する処理識別情報とを対応付けて記憶する。
【００２４】
例えば図４に示すように露出自動補正２３１からプレビュー画像２２ａまでスワイプす
る適用操作の場合、プレビュー画像２２ａに対応する画像データが露出自動補正の対象と
なる。この場合、制御部１は、プレビュー画像２２ａに対応する画像データの各画素の明
るさのヒストグラムに基づいて補正量を導出し、導出した補正量を用いた露出補正を当該
画像データに対して適用する。また例えば彩度自動補正２３２からプレビュー画像２２ａ
までスワイプする適用操作の場合、制御部１は、プレビュー画像２２ａに対応する画像デ
ータの各画素の彩度のヒストグラムに基づいて補正量を導出し、導出した補正量を用いた
彩度補正を当該画像データに対して適用するものと認識する。また例えばコントラスト自
動補正２３３からプレビュー画像２２ａまでスワイプする適用操作の場合、制御部１は、
プレビュー画像２２ａに対応する画像データの各画素の明るさのヒストグラムに基づいて
補正量を導出し、導出した補正量を用いたコントラスト補正を当該画像データに対して適
用するものと認識する。
【００２５】
解除操作と判定すると、制御部１は、次のように画像処理の設定値を戻す、すなわち、
設定値の適用を解除する（Ｓ４）。まず解除対象となる画像処理は、プレビュー画像２２
を始点とするスワイプの終点に設定値オブジェクト２３が表示されている設定値が示す画
像処理であると認識する。そして画像処理の対象は、スワイプの始点に表示されているプ
レビュー画像２２に対応する画像データであると認識する。そして、スワイプの始点に表
示されているプレビュー画像２２に対応する画像データの画像識別情報とスワイプの終点
に表示されている設定値オブジェクト２３に対応する処理識別情報とが対応付けて記憶し
ていた場合、記憶しているその対応付けを削除する。これによって、記憶から対応付けら
れていない状態にする。例えば、図５に示すようにプレビュー画像２２ａから露出自動補
正２３１までスワイプする解除操作の場合、プレビュー画像２２ａに対応する画像データ
が露出自動補正の解除対象となる。すなわち、プレビュー画像２２ａに対応する画像デー
タを、露出自動補正が適用される前の状態に戻す。尚、対象となる画像データに対して適
用されていない画像処理が解除対象となる解除操作は無効である。
【００２６】
そして、このように画像処理の設定値が適用又は解除によって更新されると、制御部１
は、更新された設定値が適用された画像データに基づいて設定画面２１のプレビュー画像
２２を更新する（Ｓ１）。
【００２７】
以上説明した実施例によると、複数の画像データのいずれか１つを画像処理の対象とし
て選択し、画像処理の設定値を適用又は解除することを、ユーザーは１回のスワイプによ
って指示することができる。そして、画像処理の設定値が適用又は解除された結果をプレ
ビュー画像２２によって確認できるため、画像データに対して意図通りの設定値を適用す
ることが容易である。そして、印刷ボタン２４２がタップされると、制御部１は、記憶し
ている対応付けに基づいて、選択された画像データに対応付けられた設定値を適用して印
刷を実行する印刷処理を開始する。
【００２８】
３．他の実施形態
尚、本発明の技術的範囲は、上述した実施例に限定されるものではなく、本発明の要旨
を逸脱しない範囲内において種々変更を加え得ることは勿論である。例えばコンテンツオ
ブジェクトと設定値オブジェクトとを操作の検出機能がないディスプレイに表示してもよ
い。
【００２９】
また設定値オブジェクトからコンテンツオブジェクトまで移動する操作は、フリックで
も良いし、マウスやトラックパッドを使ったドラッグでも良いし、ドラッグアンドドロッ
プでも良い。例えば、設定値オブジェクトからプレビュー画像までドラッグすると、ドロ
ップしなくても、設定値オブジェクトに対応する設定に基づいてプレビュー画像を更新し
てもよい。
【００３０】
また、一画面に表示するコンテンツオブジェクトの数と設定値オブジェクトの数に制限
はない。例えば１つのコンテンツオブジェクトと１つの設定値オブジェクトが１画面に表
示される形態にも本発明は適用可能である。また、画面間の移動を認識できるのであれば
、複数の画面にコンテンツオブジェクトと設定値オブジェクトとを表示させてもよい。
【００３１】
また、図６および図７に示すように、設定値オブジェクトとしてドロップダウンリスト
ボックスを用いても良い。図６に示す設定値オブジェクト２３４は、図７に示すようにカ
ラー、モノクロ、セピアのいずれか１つの設定値を示す。例えば図６に示す設定値オブジ
ェクト２３４がタップされると、制御部１は、図７に示す設定値リスト２３４ａを表示し
、設定値リスト２３４ａのいずれかから選択されたテキストが適用操作及び解除操作の対
象となる設定値オブジェクト２３４として表示される。このようにドロップダウンリスト
ボックスを用いることにより、コンテンツオブジェクトとともに一画面に表示可能な設定
値オブジェクトを増やすことができる。
【００３２】
また本発明は、ＧＵＩを備えた様々な電子機器に適用することが可能である。例えばス
キャナー、デジタルカメラ、スマートフォンなどのディスプレイが比較的小さな電子機器
や、不特定多数に利用されるために操作のわかりやすさが特に求められる電子機器に好適
であるがディスプレイが大きい電子機器に適用してもよい。
【符号の説明】
【００３３】
１…制御部、２…タッチパネルディスプレイ、３…印刷機構、４…データ取得部、５…給
紙機構、２１…設定画面、２２…プレビュー画像、２３…設定値オブジェクト、２４…シ
ーケンス制御ボタン、２３１…露出自動補正、２３２…彩度自動補正、２３３…コントラ
スト自動補正、２４１…戻るボタン、２４２…印刷ボタン
【図１】
2017187832.tif 000003
【図２】
2017187832.tif 000004
【図３】
2017187832.tif 000005
【図４】
2017187832.tif 000006
【図５】
2017187832.tif 000007
【図６】
2017187832.tif 000008
【図７】
2017187832.tif 000009